(57)【特許請求の範囲】
【請求項１】
第一の層と、前記第一の層上に積層され、光反射層を含む透明の第二の層とから成り、前記第二の層の表面に秘匿情報の全部又は一部を保持している回折格子を有する微小な複数の回折格子要素が配置されており、光源からの照明光が前記回折格子要素で回折してなる回折光の全部又は一部が、空間上の所定領域に入射するように格子間隔および格子角度が設定されていると共に、少なくとも２個の回折格子要素の組み合わせからなる回折格子要素群からの前記回折光の全部又は一部が前記所定領域に入射した場合、前記所定領域における再生情報和が、所定の１つ又は複数の秘匿情報として現出するようにした情報記録媒体であって、
前記秘匿情報を保持する回折格子要素の配置に対応して、前記第一の層に所定の色及び所定の柄を配した情報記録媒体。
【請求項２】
請求項１に記載の情報記録媒体において、
前記秘匿情報を保持する回折格子要素の周囲の回折格子要素に対応する前記第一の層上に、黒色を配した情報記録媒体。
【請求項３】
請求項１に記載の情報記録媒体において、
前記秘匿情報を保持する回折格子要素に対応する前記第一の層上に、黒色を配した情報記録媒体。
【請求項４】
請求項１又は請求項３に記載の情報記録媒体において、
前記秘匿情報を保持する回折格子要素の周囲の回折格子要素に対応する前記第一の層上に、白色を配した情報記録媒体。
【請求項５】
請求項１又は請求項２に記載の情報記録媒体において、
前記秘匿情報を保持する回折格子要素に対応する前記第一の層上に、白色を配した情報記録媒体。
【請求項６】
請求項１又は請求項３又は請求項５に記載の情報記録媒体において、
前記秘匿情報を保持する回折格子要素の周囲の回折格子要素に対応する前記第一の層上に、秘匿情報の読み取りの際に照射される光の波長に相当する色から成る柄を配した情報記録媒体。
【請求項７】
請求項１又は請求項２又は請求項４又は請求項６に記載の情報記録媒体において、
前記秘匿情報を保持する回折格子要素に対応する前記第一の層上に、秘匿情報の読み取りの際に照射される光の波長に相当する色の補色から成る柄を配した情報記録媒体。
【請求項８】
請求項１乃至７のうち何れか１項に記載の情報記録媒体に記録された秘匿情報の真偽を判定するための装置であって、
予め決められた光量及び波長分布を有する照明光を照射する光源と、
前記光源から前記回折格子要素へ照射された前記照明光が前記回折格子要素で回折してなる回折光の組み合わせによって現出される秘匿情報を読み取る読取手段と、
前記読取手段によって読み取られた情報に基づいて、前記秘匿情報の真偽判定を行なう判定手段と
を備えた情報記録媒体の真偽判定装置。
【請求項９】
請求項１乃至７のうち何れか１項に記載の情報記録媒体に記録された秘匿情報の真偽を判定するための装置であって、
白色光を照射する光源と、
前記光源から回折格子要素へ照射された照明光が前記回折格子要素で回折してなる回折光の組み合わせによって現出される秘匿情報を読み取る読取手段と、
前記読取手段によって読み取られた情報に基づいて、前記秘匿情報の真偽判定を行なう判定手段と
を備えた情報記録媒体の真偽判定装置。
【請求項１０】
請求項１又は請求項６又は請求項７に記載の情報記録媒体に記録された秘匿情報の真偽を判定するための装置であって、
秘匿情報を保持する回折格子要素に対応する第一の層上及びその周囲の回折格子要素に対応する前記第一の層上に配されている所定の色からなる柄の、補色あるいは同系色の照明光を照射する光源と、
前記光源から前記回折格子要素へ照射された前記照明光が前記回折格子要素で回折してなる回折光の組み合わせによって現出される秘匿情報を読み取る読取手段と、
前記読取手段によって読み取られた情報に基づいて、前記秘匿情報の真偽判定を行なう判定手段と
を備えた情報記録媒体の真偽判定装置。
【請求項１１】
請求項８乃至１０のうち何れか１項に記載の真偽判定装置において、
前記読取手段に波長選択機能を付加した真偽判定装置。
【請求項１２】
前記光源を複数個有する、請求項８乃至１１のうち何れか１項に記載の真偽判定装置。
【発明の詳細な説明】
【技術分野】
【０００１】
本発明は、秘匿情報を保持する回折格子要素の配置に対応して所定の色及び所定の柄を配し、回折格子要素に対して照明光を照射することによって、保持されている秘匿情報の検知を確実に行えるようにした情報記録媒体、及び情報記録媒体の真偽判定装置に関する。
【背景技術】
【０００２】
回折格子を有する情報記録媒体の真贋を検証機を用いて判定する方法として、特定の格子方向及び空間周波数を有する回折格子により形成された微細な回折格子パターンの組み合わせにより情報をコード化記録し、パターン情報の部分へレーザー光等を照射して回折光を得、それをセンサーで読み出す方法が知られている。
【０００３】
また、回折格子等の回折構造の有無によって構成されたバーコードを、入射光に対して所定の位置に設置された受光器に回折光を発生するように記録させ、レーザー光等で走査して回折像を受光し、出力波形を取り込んでコードを認識し、真偽を判定する方法も知られている。
【特許文献１】特開２００３−２１５３１９号公報
【発明の開示】
【発明が解決しようとする課題】
【０００４】
しかしながら、これらのようにして得られる回折格子を有する情報記録媒体は、特定の領域に情報を記録していることから、情報を記録している領域を、拡大鏡などの観察装置で容易に発見することができ、レーザー光を照射する角度さえ解ってしまえば、その情報を基に模造品が作成される恐れがある。
【０００５】
これを解決するために、例えば、特許文献１では、絵柄や文字によって識別すべき情報をカムフラージュする方法が提案されている。
【０００６】
しかしながら、特許文献１で提案された方法で真贋の判定を行う場合、レーザー光と回折格子パターンが転写されている基材部分の背景色や柄との組み合わせによっては、情報を明確に読み取ることが困難となってしまうという問題がある。
【０００７】
本発明はこのような事情に基づいてなされたもので、その第一の目的は、秘匿情報を微小な回折格子要素で構成することで、目視による認識を不能とし、更に、色や柄を配することによって、所定の秘匿情報を記録した領域を判別することを困難とし、偽造を困難にする情報記録媒体を提供することにある。
【０００８】
また、その第二の目的は、この秘匿情報を保持する回折格子要素の配置に対応して所定の色及び所定の柄を配することによって、光源から照明光を照射された場合、秘匿情報が確実に読み取られ、秘匿情報の検知性を高めた情報記憶媒体を提供することにある。
【０００９】
更に、その第三の目的は、このような情報記録媒体から秘匿情報を読み取り、秘匿情報の真偽を容易に判定することができる真偽判定装置を提供することにある。
【課題を解決するための手段】
【００１０】
上記の目的を達成するために、本発明では、以下のような手段を講じる。
【００１１】
すなわち、請求項１の発明は、情報記録媒体に関する。この情報記録媒体は、第一の層と、第一の層上に積層され、光反射層を含む透明の第二の層とから成なる。そして、第二の層の表面に秘匿情報の全部又は一部を保持している回折格子を有する微小な複数の回折格子要素が配置されており、光源からの照明光が回折格子要素で回折してなる回折光の全部又は一部が、空間上の所定領域に入射するように格子間隔および格子角度が設定されていると共に、少なくとも２個の回折格子要素の組み合わせからなる回折格子要素群からの回折光の全部又は一部が所定領域に入射した場合、所定領域における再生情報和が、所定の１つ又は複数の秘匿情報として現出するようにしている。更に、秘匿情報を保持する回折格子要素の配置に対応して、第一の層に所定の色及び所定の柄を配している。
【００１２】
従って、請求項１の発明の情報記録媒体においては、以上のように、秘匿情報を微小な回折格子要素で構成することで、目視による認識を不能とし、更に、色や柄を配することによって所定の秘匿情報を記録した領域を判別することが困難とし、偽造を困難にすることが可能となる。
【００１３】
請求項２の発明は、請求項１の発明の情報記録媒体において、秘匿情報を保持する回折格子要素の周囲の回折格子要素に対応する第一の層上に、黒色を配している。
【００１４】
従って、請求項２の発明の情報記録媒体においては、以上のような手段を講じることにより、秘匿情報を保持する回折格子要素の周囲の回折格子要素に対応する第一の層上に黒色を配して輝度値レベルを低下させることで、秘匿情報を保持する回折格子要素の輝度レベルが相対的に上がり、秘匿情報の検知性を高めることが可能となる。
【００１５】
請求項３の発明は、請求項１の発明の情報記録媒体において、秘匿情報を保持する回折格子要素に対応する第一の層上に、黒色を配している。
【００１６】
従って、請求項３の発明の情報記録媒体においては、以上のような手段を講じることにより、秘匿情報を保持する回折格子要素部分に黒色を配して背景のノイズ成分をおさえ、回折光とのコントラストを向上させることができ、秘匿情報の検知性を高めることが可能となる。
【００１７】
請求項４の発明は、請求項１又は請求項３の発明の情報記録媒体において、秘匿情報を保持する回折格子要素の周囲の回折格子要素に対応する第一の層上に、白色を配している。
【００１８】
従って、請求項４の発明の情報記録媒体においては、以上のような手段を講じることにより、秘匿情報を保持する回折格子要素の周囲の回折格子要素に対応する第一の層上に白色を配してノイズ成分を上げ、回折光とのコントラストを低下させることで、秘匿情報を保持する回折格子要素からの回折光を際立たせることができ、秘匿情報の検知性上を高めることが可能となる。
【００１９】
請求項５の発明は、請求項１又は請求項２の発明の情報記録媒体において、秘匿情報を保持する回折格子要素に対応する第一の層上に、白色を配している。
【００２０】
従って、請求項５の発明の情報記録媒体においては、以上のような手段を講じることにより、秘匿情報を保持する回折格子要素部分に白色を配することで、回折格子要素の輝度値レベルを向上させることができ、秘匿情報の検知性を高めることが可能となる。
【００２１】
請求項６の発明は、請求項１又は請求項３又は請求項５の発明の情報記録媒体において、秘匿情報を保持する回折格子要素の周囲の回折格子要素に対応する第一の層上に、秘匿情報の読み取りの際に照射される光の波長に相当する色から成る柄を配している。
【００２２】
従って、請求項６の発明の情報記録媒体においては、以上のような手段を講じることにより、秘匿情報を保持する回折格子要素の周囲の回折格子要素に対応する第一の層上に、秘匿情報を読み取る装置（例えば、真偽判定装置）で用いている照明光の波長に相当する色を配する。そして、この照明光が照射されると、周囲の回折格子要素から回折光のコントラストを低下させることができ、秘匿情報の検知性を高めることが可能となる。
【００２３】
請求項７の発明は、請求項１又は請求項２又は請求項４又は請求項６の発明の情報記録媒体において、秘匿情報を保持する回折格子要素に対応する第一の層上に、秘匿情報の読み取りの際に照射される光の波長に相当する色の補色から成る柄を配している。
【００２４】
従って、請求項７の発明の情報記録媒体においては、以上のような手段を講じることにより、照明光の照明によって回折光とのコントラストを向上させることができ、秘匿情報の検知性を高めることが可能となる。
【００２５】
請求項８の発明は、請求項１乃至７のうち何れか１項の発明の情報記録媒体に記録された秘匿情報の真偽を判定するための装置であって、予め決められた光量及び波長分布を有する照明光を照射する光源と、光源から回折格子要素へ照射された照明光が回折格子要素で回折してなる回折光の組み合わせによって現出される秘匿情報を読み取る読取手段と、読取手段によって読み取られた情報に基づいて、秘匿情報の真偽判定を行なう判定手段とを備えている。
【００２６】
従って、請求項８の発明の真偽判定装置においては、以上のような手段を講じることにより、本発明の情報記録媒体に、予め決められた光量及び波長分布を有する光を照射し、その回折光に基づいて、秘匿情報を確実に読み取り、情報記録装置の真偽を容易に判定することが可能となる。
【００２７】
請求項９の発明は、請求項１乃至７のうち何れか１項の発明の情報記録媒体に記録された秘匿情報の真偽を判定するための装置であって、白色光を照射する光源と、光源から回折格子要素へ照射された照明光が回折格子要素で回折してなる回折光の組み合わせによって現出される秘匿情報を読み取る読取手段と、読取手段によって読み取られた情報に基づいて、秘匿情報の真偽判定を行なう判定手段とを備えている。
【００２８】
従って、請求項９の発明の真偽判定装置においては、以上のような手段を講じることにより、本発明の情報記録媒体に、白色光源から発せられる光を照射し、その回折光に基づいて、秘匿情報を確実に読み取り、情報記録装置の真偽を容易に判定することが可能となる。
【００２９】
請求項１０の発明は、請求項１又は請求項６又は請求項７の発明の情報記録媒体に記録された秘匿情報の真偽を判定するための装置であって、秘匿情報を保持する回折格子要素に対応する第一の層上及びその周囲の回折格子要素に対応する第一の層上に配されている所定の色からなる柄の、補色あるいは同系色の照明光を照射する光源と、光源から回折格子要素へ照射された照明光が回折格子要素で回折してなる回折光の組み合わせによって現出される秘匿情報を読み取る読取手段と、読取手段によって読み取られた情報に基づいて、秘匿情報の真偽判定を行なう判定手段とを備えている。
【００３０】
従って、請求項１０の発明の真偽判定装置の場合、例えば、情報記録媒体の秘匿情報を保持する回折格子要素の周囲の回折格子要素に対応する第一の層上に緑色が配されている場合、回折格子要素への照明光を緑色（同系色）とする。これは、照明光と同じ成分の色が配されている領域ではコントラストが著しく低下するため、読み取りが困難となり、回折光を検知できないからである。これとは逆に、秘匿情報を持つ回折格子要素にマゼンタ色が用いられている場合、この回折格子要素への照明光に緑色（補色）を用いる。これによって、回折光とのコントラストが向上し、確実に読み取ることが可能となる。
【００３１】
請求項１１の発明は、請求項８乃至１０のうち何れか１項の発明の真偽判定装置において、読取手段に波長選択機能を付加している。
【００３２】
従って、請求項１１の発明の真偽判定装置においては、以上のような手段を講じることにより、例えば白色光源を用いた場合に、秘匿情報の検知に緑色の照明光が必要となった場合であっても、例えばフィルタのような波長選択機能を用いることによって、緑色の波長成分のみを抽出することが可能となる。
【００３３】
請求項１２の発明は、光源を複数個有する、請求項８乃至１１のうち何れか１項の発明の真偽判定装置である。
【００３４】
従って、請求項１２の発明の真偽判定装置においては、以上のような手段を講じることにより、装置構成の柔軟性を高めることができる。
【発明の効果】
【００３５】
本発明によれば、秘匿情報を微小な回折格子要素で構成することで、目視による認識を不能とし、更に、色や柄を配することによって、所定の秘匿情報を記録した領域を判別することを困難とし、偽造を困難にする情報記録媒体を実現することができる。
【００３６】
また、この秘匿情報を保持する回折格子要素の配置に対応して所定の色及び所定の柄を配することによって、光源から照明光を照射された場合、秘匿情報が確実に読み取られ、秘匿情報の検知性を高めた情報記憶媒体を実現することができる。
【００３７】
更に、このような情報記録媒体から秘匿情報を読み取り、秘匿情報の真偽を容易に判定することができる真偽判定装置を実現することができる。
【発明を実施するための最良の形態】
【００３８】
以下に、本発明を実施するための最良の形態について図面を参照しながら説明する。
【００３９】
本発明の実施の形態に係る情報記録媒体１は、回折格子を有しており、この回折格子を利用して秘匿情報を保持するものであって、図１の断面図に示すように、基板上に印刷層等が積層されてなる情報支持層１１と、情報支持層１１の上面に積層された情報保持層１２とから構成される。なお、情報支持層１１は、基板上に印刷層等が積層されてなるものに限られるものではなく、印刷層等が積層されておらず、着色された基板自体を用いても良い。また、直接印刷された基板自体を用いても良い。このような情報記録媒体１は、保持する秘匿情報によって情報支持層１１の真正を証明するものである。情報支持層１１が紙幣や有価証券、あるいは各種証明書類等である場合には、秘匿情報の存在によって情報支持層１１そのものの真正を証明でき、そうでない場合には偽造と判別する。また、情報支持層１１が包装材料である場合には、この情報支持層（包装材料）１１で包装された内容物の真偽を判別することができる。
【００４０】
この秘匿情報は、肉眼で読み取ることができず、特定の読取装置を利用して読み取ることができるもので、次のような構成で情報記録媒体１に保持されている。
【００４１】
すなわち、情報保持層１２は、光反射層１２４を具備している。図１に示す情報記録媒体１においては、この光反射層１２４を情報支持層１１に接着する接着層１２５を具備しているが、このように情報支持層１１と光反射層１２４との間に他の層が介在しても構わない。ここで示す情報支持層１１とは、基材自体に色や柄（パターン）がついたもの、あるいは基材の上に色や柄のついた印刷層等が積層されているもの等である。なお、情報保護層１２は、光反射層１２４の上面に保護層１２３を設け、この保護層１２３によって、光反射層１２４を傷や汚れから保護している。
【００４２】
また、図２に示すように、回折格子を有する情報記録媒体１は、基板表面に複数の微小な回折格子要素１３を配置しており、これら回折格子要素１３は秘匿情報の全部又は一部を保持しており、所定の光源から照明光が照射されたとき、照明光が回折格子要素１３で散乱してなる散乱光、及び回折してなる回折光が空間上の所定領域に入射するように格子間隔および格子角度を設定している。また、情報記録媒体１は、少なくとも２個の回折格子要素１３の組み合わせからなる回折格子要素群を含んでいる。この場合、複数個の回折格子要素１３が存在しない領域に関しては、ダミーとなるパターンを混在させることができる。
【００４３】
より具体的には、この回折格子を有する情報記録媒体１には、基板の表面に複数の微小な回折格子要素１３を配置しており、これら複数の回折格子要素で１つの回折格子要素群を構成している。これら複数の回折格子要素１３のうち少なくとも一部の回折格子要素、例えば回折格子要素１３ａ,１３ｂ，１３ｃ，１３ｄ，１３α，１３β，１３γ，１３εは、秘匿情報の全部または一部を保持している。これら回折格子要素１３ａ,１３ｂ，１３ｃ，１３ｄ，１３α，１３β，１３γ，１３εは、所定の面積をもつ光源から照明光が照射されると、この照明光が回折してなる回折光が空間上の所定領域に入射するように、格子間隔及び格子角度をそれぞれ設定している。そして、情報記録媒体１は、これらの少なくとも２個の回折格子要素１３の組み合わせになる回折格子要素群を含むと共に、回折格子要素群に対応する空間上の所定領域における再生情報和により所定の秘匿情報がパターン化されるようにしている。
【００４４】
また、他の回折格子要素１３ｘ，１３ｙはダミーであって、秘匿情報を保持していない。そして、このダミーの回折格子要素１３ｘ，１３ｙを混在させることによって、秘匿情報を保持する回折格子要素１３ａ,１３ｂ，１３ｃ，１３ｄ，１３α，１３β，１３γ，１３εの存否及びその位置を隠すことが可能となる。
【００４５】
図３は、情報支持層１１に所定の色、および所定の柄を配した状態の一例を示している。このとき、秘匿情報を保持する回折格子要素１３ａ，１３ｂ，１３ｃ，１３ｄの背面の情報支持層１１に所定の色を配しているか、もしくは、ダミーの回折格子要素１３ｘ，１３ｙの背面の情報支持層１１に所定の色を配している。あるいは、その両方であっても良い。ただし、秘匿情報を保持する回折格子要素１３ａ，１３ｂ，１３ｃ，１３ｄとそれ以外の領域とで同じ配色になることはない。そして、この回折格子要素１３ａ，１３ｂ，１３ｃ，１３ｄの配置に対応した配色によってできるパターンが、情報支持層１１の所定の領域に配されることで、秘匿情報を保持する領域をカムフラージュし、その存否及び位置の発見を一層困難とすることができる。
【００４６】
上述したように、本発明の実施の形態に係る情報記録媒体１においては、秘匿情報を微小な回折格子要素１３で構成することで、目視による認識を不能とし、更に、色や柄を配することによって所定の秘匿情報を記録した領域を判別することを困難とし、偽造を困難にする情報記録媒体を実現することが可能となる。
【００４７】
その一方で、本発明の実施の形態に係る情報記録媒体１は、図４にその構成概念を示すような本発明の実施の形態に係る真偽判定装置を用いて秘匿情報が検知された場合における検知性の向上が図られており、該装置によって、この秘匿情報の真偽が容易に判定される。
【００４８】
すなわち、本発明の実施の形態に係る情報記録媒体は、図５に示すように、回折格子要素群１４の回折格子要素１３全てが秘匿情報の全部または一部を保持しており、情報支持層１１に配する所定の色柄によって任意の秘匿情報のみを検知できるようにしている。
【００４９】
より具体的には、１つの回折格子要素群１４の中に、回折格子要素１３ａ，１３ｂ，１３ｃ、１３ｄによって再生される秘匿情報に加え、回折格子要素１３α，１３β，１３γ，１３εによって再生される秘匿情報など複数個の情報を含ませておき、その中から再生したい秘匿情報のみを選択できるようにしている。このとき、情報支持層１１の配色は、検知したい秘匿情報を保持している回折格子要素（例えば、回折格子要素１３ａ，１３ｂ，１３ｃ，１３ｄ）が配置されている部分のみに成されているか、それ以外の回折格子要素（例えば、回折格子要素１３α，１３β，１３γ，１３ε）が配置されている部分に成されているか、あるいは双方それぞれに適した配色が成される。これによって、読み取りたい秘匿情報のみを検知できるようにしている。
【００５０】
例えば、秘匿情報を保持する回折格子要素１３の周囲の回折格子要素１３に対応する情報支持層１１上に、黒色を配すれば、この場所における輝度値レベルが低下するので、秘匿情報を保持する回折格子要素１３の輝度レベルが相対的に上がり、秘匿情報の検知性を向上させることが可能となる。
【００５１】
また、秘匿情報を保持する回折格子要素１３に対応する情報支持層１１上に、黒色を配すれば、背景のノイズ成分が抑えられるので、回折光とのコントラストが向上し、秘匿情報の検知性の向上を図ることが可能となる。
【００５２】
また、秘匿情報を保持する回折格子要素１３の周囲の回折格子要素１３に対応する情報支持層１１上に、白色を配すれば、この場所におけるノイズ成分が上がるので、回折光とのコントラストが低下し、秘匿情報を保持する回折格子要素１３からの回折光を際立たせることができ、秘匿情報の検知性の向上を図ることが可能となる。
【００５３】
また、秘匿情報を保持する回折格子要素１３に対応する情報支持層１１上に、白色を配すれば、この場所における輝度値レベルが向上するので、秘匿情報の検知性の向上を図ることが可能となる。
【００５４】
また、秘匿情報を保持する回折格子要素１３の周囲の回折格子要素１３に対応する情報支持層１１上に、秘匿情報を読み取る装置（例えば、真偽判定装置）で用いる光の波長に相当する色から成る柄を配すれば、照明光を照射した場合、周囲の回折格子要素１３から回折光のコントラストが低下するので、秘匿情報の検知性の向上を図ることが可能となる。
【００５５】
また、秘匿情報を保持する回折格子要素１３に対応する情報支持層１１上に、秘匿情報を読み取る装置（例えば、真偽判定装置）で用いる光の波長に相当する色の補色から成る柄を配すれば、照明光を照射した場合、回折光とのコントラストが向上するので、秘匿情報の検知性の向上を図ることが可能となる。
【００５６】
これらの方法を用いると、情報支持層１１の色柄のみを変えることで、読み取りたい秘匿情報を変更することが可能となり、例えば月毎に検知する秘匿情報を変更するときなどに有効である。
【００５７】
次に、図４に示す本発明の実施の形態に係る情報記録媒体の真偽判定装置について説明する。
【００５８】
すなわち、本実施の形態に係る真偽判定装置は、照明光Ｌを照射する光源３と、この照明光Ｌが回折格子要素１３で回折してなる回折光Ｋの組み合わせによって現出される秘匿情報を読み取る例えばカメラ５のような読取装置と、読取装置による読み取り結果に基づいて、該秘匿情報の真偽を判定する判定装置６とを少なくとも備えている。
【００５９】
光源３からの予め決められた光量及び波長分布を有する照明光Ｌは、回折格子要素群１４中の各回折格子要素１３ａ，１３ｂ，１３ｃ，１３ｄで設計された回折角度で回折して回折光Ｋとなり、空間上の所定領域４に入射する。回折光Ｋの検知は、例えば予め予定された位置にセンサー（図示せず）を配置しておくことによって可能である。また、予め予定された位置に投影スクリーン７を配置して回折光Ｋをこのスクリーン７に射出させ、こうして得られた光点の有無をカメラ５などで撮影することも可能である。
【００６０】
平面状の光源３の光源色は、回折格子要素１３ａ，１３ｂ，１３ｃ，１３ｄに配されている色と対応している必要がある。すなわち、読み取りたい秘匿情報を保持している回折格子要素１３ａ，１３ｂ，１３ｃ，１３ｄの背面の情報支持層１１に黒及び白以外の色が配されている場合は、光源３からの照明光Ｌによって回折光Ｋとのコントラストを上げる必要があるため、情報支持層１１の配色とは補色関係にある照明光Ｌとする必要がある。また、読み取りに必要のない回折格子要素１３の背面の情報支持層１１に黒及び白以外の配色が成されている場合には、必要のない回折光Ｋのコントラストを低下させて検知できなくする必要があるため、情報支持層１１の配色とは同系色の照明光Ｌとする必要がある。
【００６１】
この一例として、光源色が赤（Ｒｅｄ）である場合を挙げる。光源色が赤である場合、読み取りたい秘匿情報を保持している回折格子要素１３ａ，１３ｂ，１３ｃ，１３ｄの背面の情報支持層１１に色を配するなら、赤（Ｒｅｄ）の補色である水色（Ｃｙａｎ）が有効である。というのは、光源色と補色関係の配色を行うことで、読み取りたい回折格子要素１３ａ，１３ｂ，１３ｃ，１３ｄのノイズ成分が抑えられ、照明光Ｌによって射出する回折光Ｋとのコントラストが高くなるためである。逆に、読み取りに必要のない回折格子要素１３からの回折光を排除したい場合は、その背面の情報支持層１１に赤色を配することで、読み取りに必要のない回折格子要素１３のノイズを上げて回折光Ｋとのコントラストを低くすることができ、結果として回折光Ｋの検知を不可能にすることが可能である。
【００６２】
なお、読取装置が波長選択機能を備え、特定の波長を持つ回折光Ｋのみを撮像できるのであれば、光源３は、上述したように予め決められた波長分布を有する照明光Ｌを発することができるものに限らず、白色光を発するものであっても良い。あるいは、読取装置が波長選択機能を備えていなくても、光源３からの照明光Ｌに波長選択性フィルタをかけ、必要な波長成分を持つ光のみを照射できるようにしてもよい。
【００６３】
図４では、秘匿情報を保持する回折格子要素１３ａ，１３ｂ，１３ｃ，１３ｄを含む回折格子要素群１４を利用し、単一の平面状の光源３からの照明光Ｌが回折してなる４種の回折光Ｋを投影スクリーン７に集光し、この光点をカメラ５などで撮影する方法を示している。判定装置６は、カメラ５によって撮影された画像に基づいて、所定の演算を行い、この演算結果から、秘匿情報の真偽判定を行なう。
【００６４】
一方、図６に示すように、回折格子要素群１４に対し異なる方向に配置された平面状の複数の光源３１，３２から照明光Ｌａ，Ｌｂを照射することによって秘匿情報を再現することもできる。すなわち、回折格子要素１３ａ，１３ｂに対し光源３１から照明光Ｌａを照射し、これによって得られる回折光Ｋａから秘匿情報の一部を再現し、回折格子要素１３ｃ，１３ｄに対しては、光源３１とは異なる方向に配置された光源３２から、紫外線による照明光Ｌｂを照射し、それにより得られる回折光Ｋｂから秘匿情報の一部を再現する。切替装置３１ａ，３２ａは、それぞれ光源３１，３２の切り替えを行うための装置である。回折格子要素１３ａ，１３ｂからの回折光Ｋａ、及び回折格子要素１３ｃ，１３ｄからの回折光Ｋｂは、いずれも、スクリーン７に投影される。そして、本発明の実施の形態に係る真偽判定装置は、このスクリーン７に投影されたそれぞれの領域の組み合わせから所定の秘匿情報のデータを読み取る読取機構を、レンズ８、撮像素子９等により構成している。
【００６５】
レンズ８は、スクリーン７に投影された画像を秘匿情報として撮像素子９上に記録する。そして、判定装置６は、撮像素子９上に記録された画像データに対して所定の演算を行い、この演算結果から秘匿情報の真偽判定を行なう。
【００６６】
以上説明したように、本発明の実施の形態に係る情報記録媒体は、偽造することが困難であるのに加えて、秘匿情報の検知性の向上が図られる構成となっているので、本発明の実施の形態に係る真偽判定装置を用いることによって、秘匿情報を確実に読み取り、その真偽を容易に判定することが可能となる。
【００６７】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【図面の簡単な説明】
【００６８】
【図１】本発明の実施の形態に係る情報記録媒体の構成例を示す断面図。
【図２】本発明の実施の形態に係る情報記録媒体の構成例を示す斜視図。
【図３】本発明の実施の形態に係る情報記録媒体の情報支持層に、所定の色及び所定の柄を配した状態の一例を示す概念図。
【図４】本発明の実施の形態に係る真偽判定装置の構成例を示す概念図。
【図５】本発明の実施の形態に係る情報記録媒体の情報支持層に、所定の色及び所定の柄を配した状態の別の例を示す概念図。
【図６】本発明の実施の形態に係る真偽判定装置の別の構成例を示す概念図。
【符号の説明】
【００６９】
Ｌ…照明光、Ｋ…回折光、１…情報記録媒体、３…光源、４…所定領域、５…カメラ、６…判定装置、７…スクリーン、８…レンズ、９…撮像素子、１１…情報支持層、１２…情報保持層、１３…回折格子要素、１４…回折格子要素群、３１，３２…光源、３１ａ，３２ａ…切替装置、１２３…保護層、１２４…光反射層、１２５…接着層
【図１】
0004779792.tif 000002
【図２】
0004779792.tif 000003
【図３】
0004779792.tif 000004
【図４】
0004779792.tif 000005
【図５】
0004779792.tif 000006
【図６】
0004779792.tif 000007